(57)【要約】      （修正有）【課題】折り戸の急激な閉鎖運動を緩和するダンパーを組み込み、折り戸閉鎖時の衝撃を緩和できる折り戸の開閉装置を低コストで提供する。【解決手段】  左右の扉体がセンターヒンジ２によって折畳み自在に連結され、センターヒンジに組み込まれたスプリングにより左右の扉体が閉鎖位置に付勢されるようにした折り戸１で、折り戸１の急激な閉鎖運動を緩和するダンパー１０を備え、該ダンパーは、ピストンと、扉体閉鎖方向に向かって延出されたピストンロッド１３と、ピストンの移動に抵抗力を発生させる流体と、ピストンロッド１３を突出姿勢に付勢するバネとからなり、該バネ力は前記スプリングの扉体閉じ力より小さく設定され、シリンダーが、扉体の閉鎖近傍において滑走体３と共にレールに沿って扉体閉鎖方向に摺動し、ピストンロッド１３の先端と固定面７との当接により扉体の急激な閉鎖運動を緩和する。【選択図】図３
2007303077.tif 000002
【特許請求の範囲】
【請求項１】
左右の扉体がセンターヒンジによって折畳み自在に連結され、少なくとも一方の扉体の端部に設けた滑走体がレールに滑動可能に装着され、且つセンターヒンジに組み込まれたスプリングにより左右の扉体が直線姿勢となる閉鎖位置に付勢されるようにした折り戸であって、扉体の急激な閉鎖運動を緩和するダンパーを備え、該ダンパーは、前記レールに摺動可能に装着されたシリンダーと、シリンダー内で摺動可能に収納されたピストンと、該ピストンからシリンダーの端壁を貫通して扉体閉鎖方向に向かって延出されたピストンロッドと、シリンダー内でピストンロッドの移動に抵抗力を発生させる流体と、該ピストンロッドを常時突出姿勢に付勢するバネとからなり、該バネの力はセンターヒンジに組み込まれたスプリングの扉体閉じ力より小さく設定され、前記シリンダーが、少なくとも扉体の閉鎖運動終端近傍において滑走体と共にレールに沿って扉体閉鎖方向に摺動してピストンロッドの先端と固定面との接当により扉体の急激な閉鎖運動を緩和するように形成されている折り戸の開閉装置。
【請求項２】
前記ダンパーのシリンダーが、扉体の閉鎖運動終端近傍において滑走体に係合して共に移動するように、シリンダーに係合片が設けられている請求項１に記載の折り戸の開閉装置。
【請求項３】
前記ダンパーのシリンダーが連結部を介して扉体の滑走体に連結されて常時滑走体と共に移動するように形成されている請求項１に記載の折り戸の開閉装置。
【請求項４】
前記ダンパーが、ピストン若しくはシリンダーの壁面にエアー抜き孔を備え、シリンダー内に充填される流体がエアーとしたエアーダンパーにより形成されている請求項１〜請求項３に記載の折り戸の開閉装置。
【発明の詳細な説明】
【技術分野】
【０００１】
本発明は、折り戸の開閉装置に関するもので、殊に、折り戸の急激な閉鎖運動を緩和するダンパーを備えた折り戸の開閉装置に関するものである。
【背景技術】
【０００２】
従来、折り戸を手で閉じるときに、閉鎖運動終端近傍において手を離しても、折り戸の左右の扉体を連結するセンターヒンジに組み込まれたスプリングの力により、強制的に左右の扉体が直線姿勢となる最終閉鎖位置までまで閉じるように形成されているのが一般的である。このようなセンターヒンジは、例えば特許文献１〜４で開示されている。
【特許文献１】特公昭５５−４７１９１号公報
【特許文献２】実開昭６３−１３４０８８号公報
【特許文献３】実公平０３−３０５４１号公報
【特許文献４】特開平０３ー２２８９８９号公報
【発明の開示】
【発明が解決しようとする課題】
【０００３】
しかし、センターヒンジに組み込まれたスプリングの力は、折り戸の閉鎖運動終端近傍位置において急激に作用するので、折り戸を閉じたときの衝撃により、振動や衝撃音が発生する等の問題点があった。
【０００４】
そこで本発明は、折り戸の閉鎖運動終端近傍において、前記スプリングによる折り戸の急激な閉鎖運動を緩和するダンパーを組み込むことにより、折り戸閉鎖時の衝撃を緩和して滑らかに閉じることのできる折り戸の開閉装置を低コストで提供することを主たる目的とするものである。
【課題を解決するための手段】
【０００５】
上記目的を達成する為に本発明では次のような技術的手段を講じた。即ち、本発明に係る折り戸の開閉装置にあっては、左右の扉体がセンターヒンジによって折畳み自在に連結され、少なくとも一方の扉体の端部に設けた滑走体がレールに滑動可能に装着され、且つセンターヒンジに組み込まれたスプリングにより左右の扉体が直線姿勢となる閉鎖位置に付勢されるようにした折り戸であって、扉体の急激な閉鎖運動を緩和するダンパーを備え、該ダンパーは、前記レールに摺動可能に装着されたシリンダーと、シリンダー内で摺動可能に収納されたピストンと、該ピストンからシリンダーの端壁を貫通して扉体閉鎖方向に向かって延出されたピストンロッドと、シリンダー内でピストンロッドの移動に抵抗力を発生させる流体と、該ピストンロッドを常時突出姿勢に付勢するバネとからなり、該バネの力はセンターヒンジに組み込まれたスプリングの扉体閉じ力より小さく設定され、前記シリンダーが、少なくとも扉体の閉鎖運動終端近傍において滑走体と共にレールに沿って扉体閉鎖方向に摺動してピストンロッドの先端と固定面との当接により扉体の急激な閉鎖運動を緩和するように形成されている構成とした。
【０００６】
ここで上記にいうダンパーとは、ピストンロッド先端にピストンロッドをシリンダー内に押し込もうとする外圧を受けたときに、シリンダー内のピストンがシリンダー内の流体圧力の抵抗力（一般にこの抵抗力を「減衰力」と呼ばれている）により、抵抗力を減衰させながら徐々にピストンロッド押し込み方向に移動される方式の緩衝装置をいう。
【０００７】
また、ピストンロッドの先端が当接する固定面は、折り戸の周囲に組まれた固定枠の垂直な面を利用するのが好ましいが、別に垂直な当接片をレールに固定するようにしてもよい。
【０００８】
また本発明において、前記ダンパーのシリンダーが、扉体の閉鎖運動終端近傍において滑走体に係合して共に移動するように、シリンダーに滑走体が係合する係合片が設けられている構成とするのがよい。
【０００９】
更に、本発明において、前記ダンパーが、ピストン又はシリンダーの壁面にエアー抜き孔を備え、シリンダー内に充填される流体がエアーとしたエアーダンパーにより形成するのがコストの面で好ましい。
【発明の効果】
【００１０】
本発明は上記の如く構成されているので、折り戸を閉じる際に、閉鎖運動終端近傍において扉体の滑走体がダンパーのシリンダーを押しつけてシリンダー内に流体による抵抗力を発生させ、この抵抗力を除々に減衰させながらセンターヒンジのスプリング力により扉体をゆっくりと閉鎖方向に移行させることができるので、センターヒンジのスプリングによる折り戸の急激な閉鎖運動を緩和して、折り戸を滑らかに閉じることができ、衝撃による振動や衝撃音の発生を未然に防止することができると共に、ダンパーをレールに組み込む簡単な構造であるから安価に製作することができる、といった効果がある。
【発明を実施するための最良の形態】
【００１１】
図１〜図６は本発明にかかる折り戸の開閉装置の一実施例を示すものであって、符号１で折り戸を示す。この折り戸１は、センターヒンジ２によって折畳み可能に連結された左右一対の扉体１ａ、１ｂからなり、各扉体１ａ、１ｂはその遊端部上下面に滑走ピンにより形成された滑走体３が設けられ、この滑走体３が上下の框４に取り付けられたレール５に沿って摺動可能に組み込まれている。尚、図面では下部のレール並びに滑走体は省略されている。上部のレール５は、図１に示すように上段レール５ａ並びに下段レール５ｂの２段で形成され、下段レール５ｂに滑走体３が走行可能に嵌め込まれ、上段レール５ａに後述するダンバー１０のシリンダー１１が摺動可能に装着されている。尚、本実施例では、扉体１ｂの滑走体３がレール５に定着されるが、レールに沿って滑走するようにしても差し支えない。
【００１２】
前記センターヒンジ２は、前記特許文献で開示されたセンターヒンジと同じように、左右の扉体１ａ、１ｂが直線姿勢となる閉鎖位置に閉じられる際に、その閉鎖運動終端近傍位置で、左右の扉体１ａ、１ｂを閉鎖位置に向かって強制するスプリング（図示せず）が組み込まれたものが使用される。このセンターヒンジの機構は上記特許文献等により広く知られた技術であるのでその詳細な説明は省略する。
【００１３】
本発明では、前記センターヒンジ２のスプリングによる扉体１ａ、１ｂの急激な閉鎖運動を緩和するためにダンパー１０が設けられている。
【００１４】
本実施例にあっては、上記ダンパー１０は所謂エアーダンパーが用いられ、前記レール５の上段レール５ａに摺動可能に装着されたシリンダー１１と、シリンダー１１内で摺動可能に収納されたピストン１２と、該ピストンからシリンダーの端壁を貫通して扉体閉鎖方向（図２〜図６における左方向）に向かって延出されたピストンロッド１３と、シリンダー１１内でピストンロッド１３の移動に抵抗力を発生させる流体即ちエアーと、前記抵抗力を減衰させるためにシリンダー１１の端壁に形成されたエアー抜き孔１４と、ピストンロッド１３を常時突出姿勢に付勢するバネ１５とからなる。前記バネ１５の力はセンターヒンジ２に組み込まれたスプリングの扉体閉じ力より小さく設定されている。
【００１５】
また、前記シリンダー１１が、吊り戸１の閉鎖運動終端近傍において、扉体１ａの滑走体３に係合して該滑走体３と共にレールに沿って扉体閉鎖方向に移動するように、シリンダー１１から下方に延出した係合片１６が設けられている。
【００１６】
上記の構成において、図３の折り戸１の折り畳み姿勢（開放位置）から折り戸を閉じると、その閉鎖運動終端近傍において図５に示すように扉体１ａの滑走体３がシリンダー１１の係合片１６に係合してシリンダー１１が滑走体３と共に扉体閉鎖方向（図中左方向）に移動する。これによりシリンダー１１から突出しているピストンロッド１３の先端が枠体６の垂直な固定面７に当たってシリンダー１１内でシリンダー１１の移動に対してエアーによる抵抗力が発生する。このエアーはエアー抜き孔１４から除々に抜けるので、抵抗力が徐々に減衰する。これにより、扉体１ａの滑走体１３はセンターヒンジ２のスプリングの力によりゆっくりと閉鎖方向に移動し、最終的にシリンダー１１内のエアーの抵抗力はゼロになって図６に示すように、シリンダーロッド１３がシリンダ１１内に押し込まれ、折り戸１が閉鎖位置に閉じられる。これにより、センターヒンジ２のスプリングによる折り戸の急激な閉鎖運動を緩和して、折り戸を滑らかに閉じることができ、衝撃による振動や衝撃音の発生を防ぐことができる。尚、シリンダー１１内のバネ１５の力はセンターヒンジ２に組み込まれたスプリングの扉体閉じ力より小さく設定されているので、折り戸の閉じ運動を損なうことはない。
【００１７】
また図４の折り戸閉鎖位置から折り戸を開くと、ピストンロッド１３の先端を抑える規制がなくなるので、バネ１５の力によりピストンロッド１３が突出姿勢に復帰する。
【００１８】
尚、本発明では図７に示すように、シリンダー１１と滑走体３とを連結部１７で連結して、滑走体３とシリンダー１１とが常に一体となって摺動するように形成してもよい。
【００１９】
尚、上記実施例ではエアーを利用したエアーダンパーを用いたが、図９に示すように、シリンダー１１内にオイルを充填し、ピストン１２によって隔てられた左右のオイル室を連通する連通孔１８を設けた構造のオイルダンパーを利用することも可能である。またこの図８の実施構造において、オイルに代えてエアー等の流体とすることも可能である。
【００２０】
以上本発明の実施例について説明したが、本発明は必ずしもこれらの実施例構造のみに限定されるものでない。例えば、上記滑走体３をピンに代えてローラーとしてもよい。この場合、図８に示すように滑走体３のフレイムと一体的にダンパー１０を取り付けるようにするのが好ましい。その他本発明ではその構成要件を備え、かつ本発明の目的を達成し、上記の効果を奏する範囲内において適宜改変して実施することができるものである。
【産業上の利用可能性】
【００２１】
本発明に係る折り戸の開閉装置は、建具や家具等の折り戸全般に利用することが可能である。
【図面の簡単な説明】
【００２２】
【図１】本発明に係る折り戸の開閉装置の一実施例を示すものであって要部の斜視図。
【図２】本発明に於ける折り戸の閉鎖位置を示す概略的な平面図。
【図３】上記折り戸の開放位置を示す概略的な平面図。
【図４】上記折り戸の閉鎖過程を示す断面図。
【図５】上記折り戸の閉鎖過程を示す断面図であって図４の状態から更に進展した過程を示す。
【図６】上記折り戸の閉鎖位置を示す断面図。
【図７】本発明に係る折り戸の開閉装置の別の実施例を示す断面図。
【図８】本発明に係る折り戸の開閉装置の更に別の実施例を示す斜視図。
【図９】本発明に称されるダンパーの一例を示す断面図。
【符号の説明】
【００２３】
１  折り戸
１ａ、１ｂ  扉体
２  センターヒンジ
３  滑走体
４  框
５  レール
７  固定面
１０  ダンパー
１１  シリンダー
１２  ピストン
１３  ピストンロッド
１４  エアー抜穴
１５  バネ
１６  係合片
１７  連結部
【図１】
2007303077.tif 000003
【図２】
2007303077.tif 000004
【図３】
2007303077.tif 000005
【図４】
2007303077.tif 000006
【図５】
2007303077.tif 000007
【図６】
2007303077.tif 000008
【図７】
2007303077.tif 000009
【図８】
2007303077.tif 000010
【図９】
2007303077.tif 000011